(57)【特許請求の範囲】
【請求項１】
球状の遊技媒体を払い出す遊技媒体払出機であって、
払出機本体と、前記払出機本体を支持する支持体とを備え、
前記支持体には、前記払出機本体に遊技媒体を供給する供給口と、前記供給口を開閉するシャッターと、前記供給口を開口させる開口位置から前記供給口を閉塞する閉塞位置に向かって前記シャッターを移動させる方向に付勢する付勢部材とが設けられ、
前記シャッターは、前記支持体に対して回転可能に取り付けられ、前記払出機本体が前記支持体から取り外されている状態では前記閉塞位置に配置され、前記払出機本体が前記支持体に取り付けられている状態では、前記払出機本体によって押されることにより、前記開口位置に配置されるとともに、
前記遊技媒体の外面に沿った円弧状をなす切り欠き部を備え、
前記供給口は、前記遊技媒体の直径よりも大きく且つ直径の二倍よりは小さい寸法に設定されている
ことを特徴とする、遊技媒体払出機。
【請求項２】
前記払出機本体は、前記支持体に対して所定の取り付け方向にスライドさせられることにより、前記支持体に対して取り付けられる構成とし、
前記シャッターの回転中心軸は、前記取り付け方向に対して略垂直に設けられていることを特徴とする、請求項１に記載の遊技媒体払出機。
【請求項３】
前記供給口と前記シャッターの回転中心軸は、前記取り付け方向からみたとき、前記支持体の中央部を挟んで互いに対向する位置に設けられていることを特徴とする、請求項２に記載の遊技媒体払出機。
【請求項４】
前記シャッターは、前記払出機本体に当接する当接部を備え、
前記当接部は、前記供給口及び前記シャッターの回転中心軸よりも前記取り付け方向において手前側に設けられていることを特徴とする、請求項２又は３に記載の遊技媒体払出機。
【請求項５】
前記当接部は、前記払出機本体と前記支持体との間に配置され、
前記払出機本体が前記支持体から取り外されている状態では、前記支持体から離隔し、
前記払出機本体が前記支持体に取り付けられている状態では、前記払出機本体と前記支持体との間に挟まれた状態で保持されることを特徴とする、請求項４に記載の遊技媒体払出機。
【請求項６】
前記シャッターは、前記シャッターの回転中心軸の軸方向からみて、前記支持体の外側に突出しない範囲で移動することを特徴とする、請求項１〜５のいずれか１項に記載の遊技媒体払出機。
【請求項７】
前記シャッターは、前記供給口の下方に設けられていることを特徴とする、請求項１〜６のいずれか１項に記載の遊技媒体払出機。
【請求項８】
前記供給口は、前記遊技媒体の外面に沿った形状をなすことを特徴とする、請求項１〜７のいずれか１項に記載の遊技媒体払出機。
【請求項９】
前記切り欠き部は、前記供給口の開口縁部に沿った形状をなすとともに、前記シャッターが前記開口位置に配置されている状態において、前記供給口の開口縁部に沿って配置されることを特徴とする、請求項８に記載の遊技媒体払出機。
【請求項１０】
前記供給口に遊技媒体を補給する補給管を保持する補給管保持具を備えることを特徴とする、請求項１〜９のいずれか１項に記載の遊技媒体払出機。
【請求項１１】
前記遊技媒体はパチンコ玉であることを特徴とする、請求項１〜１０のいずれか１項に記載の遊技媒体払出機。
【請求項１２】
前記払出機本体及び前記支持体は、遊技機に隣接した位置に設けられることを特徴とする、請求項１〜１１のいずれか１項に記載の遊技媒体払出機。
【発明の詳細な説明】
【技術分野】
【０００１】
本発明は、例えば台間玉貸機等、遊技媒体を払い出す遊技媒体払出機に関する。
【背景技術】
【０００２】
例えばパチンコホール等の遊技場には、複数台の遊技機（パチンコ台）を有する遊技島（いわゆるパチンコ島）が設置されている。遊技島には、遊技機が横方向に並べて配列されており、各遊技機に隣接した位置、即ち遊技機同士の間には、遊技を行う遊技者に対して遊技媒体（パチンコ玉）を払い出す遊技媒体払出機（台間玉貸機）が設置されている。各遊技媒体払出機には、遊技媒体を補給する補給管がそれぞれ接続されており、遊技媒体を随時補給できるようになっている。
【０００３】
このような遊技媒体払出機は、払出機本体と、払出機本体を遊技機に隣接した所定位置に支持する支持体（フレーム）とを備えている（特許文献１参照）。支持体は、遊技島本体に対して固定されており、払出機本体は、支持体に対して着脱可能に設けられている。
【０００４】
払出機本体の内部には、遊技媒体を通過させる遊技媒体通路（玉通路）が内蔵されている。遊技媒体通路の上流端は、払出機本体の後側（背面側）において、遊技媒体を受け入れる受入口として、払出機本体の上方に向かって開口されており、遊技媒体通路の下流端は、払出機本体の前側（正面側）において、遊技媒体を遊技機の受け皿等に払い出すノズル等に接続されている。一方、支持体の背面側上部には、払出機本体の受入口に遊技媒体を供給する供給口と、供給口を開閉するシャッターが設けられている。シャッターは、供給口を閉塞する閉塞位置と、閉塞位置から後側に移動して供給口を開口させる開口位置との間で、前後方向にスライド可能に設けられている。さらに、シャッターを開口位置から閉塞位置に向かって移動させる方向に（前方に向かって）付勢する付勢部材が設けられている。また、補給管の端部は、供給口の上方に設けられている補給管保持具によって保持され、供給口に対して上方から接続される。
【０００５】
かかる構成において、払出機本体が支持体に取り付けられると、シャッターは払出機本体によって前側から押され、付勢部材の付勢力に抗して後退させられ、開口位置に配置される。さらに、開口された供給口の真下には、払出機本体の受入口が配置され、補給管が供給口を通じて受入口に対して連通した状態になる。一方、例えば遊技媒体払出機のメンテナンス時などに、払出機本体が支持体から取り外されると、受入口は供給口の真下から前方に退避させられ、補給管から離隔させられるが、シャッターから払出機本体が離隔させられることにより、シャッターを後方に向かって押圧する押圧力が働かなくなり、シャッターは付勢部材の付勢力によって、閉塞位置に移動させられる。即ち、シャッターによって供給口が閉塞されることで、遊技媒体が供給口の下方に落下することを防止できるようになっている。
【０００６】
【特許文献１】実登２５２１０９１号公報
【発明の開示】
【発明が解決しようとする課題】
【０００７】
しかしながら、従来の遊技媒体払出機にあっては、シャッターの前後方向における移動量が大きく、シャッターが開口位置に移動したときは、支持体の後方から突出した状態になっていた。そのため、遊技媒体払出機の後方に、シャッターが突出するためのスペースが必要であり、遊技媒体払出機の後方に他の機器類（例えば紙幣搬送装置等）を近接させて配置できなかった。即ち、遊技島の幅（前後方向の寸法）を小さくすること、遊技媒体払出機の後方に別の機器類を追加すること等が難しく、遊技島のレイアウトが制約される問題があった。
【０００８】
なお、シャッターが開口位置に移動したときに支持体の後方に突出しないようにするためには、例えばシャッター及びシャッターの周囲全体の構成（供給口、付勢部材、補給管保持具等）を、前側に移動させて配置することも考えられる。しかしながら、この場合、受入口も前側に移動させる必要があり、受入口の配置が制限されることにより、払出機本体の設計の自由度が少なくなる。即ち、多様な構造の払出機本体に対応させることが難しい問題がある。特に、払出機本体は、遊技媒体通路の他にも、例えば紙幣の真偽の判別や金額の読み取り等を行う紙幣処理装置（ビルバリユニット）、遊技媒体の移動を制御する移動制御装置（玉切り装置）、ノズルから払い出された遊技媒体の個数を計数する計数器等、様々な機器類を内蔵しているが、遊技機同士の間に挿入できるように、薄型化、小型化を図ることが求められるため、設計には工夫を要する。従って、払出機本体の設計変更は容易ではなく、また、設計変更に要するコストも高くなる懸念がある。
【０００９】
本発明は、上記の点に鑑みてなされたものであり、シャッターが支持体の後方に突出しない構造を容易に実現できる遊技媒体払出機を提供することを目的とする。
【課題を解決するための手段】
【００１０】
上記課題を解決するため、本発明によれば、球状の遊技媒体を払い出す遊技媒体払出機であって、払出機本体と、前記払出機本体を支持する支持体とを備え、前記支持体には、前記払出機本体に遊技媒体を供給する供給口と、前記供給口を開閉するシャッターと、前記供給口を開口させる開口位置から前記供給口を閉塞する閉塞位置に向かって前記シャッターを移動させる方向に付勢する付勢部材とが設けられ、前記シャッターは、前記支持体に対して回転可能に取り付けられ、前記払出機本体が前記支持体から取り外されている状態では前記閉塞位置に配置され、前記払出機本体が前記支持体に取り付けられている状態では、前記払出機本体によって押されることにより、前記開口位置に配置されるとともに、前記遊技媒体の外面に沿った円弧状をなす切り欠き部を備え、前記供給口は、前記遊技媒体の直径よりも大きく且つ直径の二倍よりは小さい寸法に設定されていることを特徴とする、遊技媒体払出機が提供される。
【００１１】
前記払出機本体は、前記支持体に対して所定の取り付け方向にスライドさせられることにより、前記支持体に対して取り付けられる構成としても良い。前記シャッターの回転中心軸は、前記取り付け方向に対して略垂直に設けても良い。前記供給口と前記シャッターの回転中心軸は、前記取り付け方向からみたとき、前記支持体の中央部を挟んで互いに対向する位置に設けても良い。
【００１２】
前記シャッターは、前記払出機本体に当接する当接部を備えても良い。前記当接部は、前記供給口及び前記シャッターの回転中心軸よりも前記取り付け方向において手前側に設けても良い。
【００１３】
前記当接部は、前記払出機本体と前記支持体との間に配置しても良く、前記払出機本体が前記支持体から取り外されている状態では、前記支持体から離隔し、前記払出機本体が前記支持体に取り付けられている状態では、前記払出機本体と前記支持体との間に挟まれた状態で保持される構成としても良い。
【００１４】
前記シャッターは、前記シャッターの回転中心軸の軸方向からみて、前記支持体の外側に突出しない範囲で移動するようにしても良い。また、前記シャッターは、前記供給口の下方に設けても良い。
【００１５】
前記供給口は、前記遊技媒体の外面に沿った形状にしても良い。その場合、前記切り欠き部は、前記供給口の開口縁部に沿った形状をなすとともに、前記シャッターが前記開口位置に配置されている状態において、前記供給口の開口縁部に沿って配置されるようにしても良い。
【００１６】
さらに、前記供給口に遊技媒体を補給する補給管を保持する補給管保持具を備えても良い。前記遊技媒体はパチンコ玉であっても良い。前記払出機本体及び前記支持体は、遊技機に隣接した位置に設けても良い。
【発明の効果】
【００１７】
本発明によれば、シャッターを回転移動させる構造にすることで、シャッターの前後方向における移動量を小さくし、シャッターが支持体の後方に突出しない構造にすることができる。従って、遊技媒体払出機の後方に他の機器類（例えば紙幣搬送装置等）を近接させて配置することが可能になる。また、供給口や払出機本体の受入口の位置等を特に変更することなく、即ち、払出機本体の設計を変更することなく、支持体側の簡単な設計変更だけで、シャッターが後方に突出しない構造を容易に実現できる。
【発明を実施するための最良の形態】
【００１８】
以下、本発明にかかる実施形態を説明する。図１は、遊技島１（パチンコ島）の一部を正面からみた図、図２は、パチンコ台３と台間玉貸機５の平面図を示している。図１に示すように、遊技島１は、遊技島本体２（筐体）、遊技媒体であるパチンコ玉Ｐを利用した遊技が行われる遊技機としてのパチンコ台３、本実施形態にかかる遊技媒体払出機である台間玉貸機５、各台間玉貸機５にパチンコ玉Ｐを補給する補給システム６を備えている。
【００１９】
パチンコ台３は、複数台、Ｘ方向（水平方向、左右方向）に並べて配列されており、遊技島本体２によって支持されている。なお、以下では説明の便宜のため、パチンコ台３が並べられている方向をＸ方向とし、Ｘ方向に対して直交する方向（前後方向、水平方向）をＹ方向とし、Ｘ方向及びＹ方向に対して直交する上下方向（鉛直方向）をＺ方向と定義する。また、Ｙ方向においては、遊技島１の外側（遊技者に対して向けられる側、図１において手前側）を正面側（前側）とし、遊技島１の内側を背面側（後側）と定義する。Ｘ方向においては、正面側からみて左側を左側とし、正面側からみて右側を右側と定義する。
【００２０】
Ｘ方向において、各パチンコ台３の左側に隣接した位置、即ち、隣り合うパチンコ台３の間には、パチンコ玉Ｐを払い出して遊技者（遊技客）に貸し出す台間玉貸機５が、それぞれ１台ずつ設置されている。台間玉貸機５も、遊技島本体２によって支持されている。
【００２１】
台間玉貸機５には、紙幣（現金）を投入するための投入口１１、操作パネル１２、パチンコ玉Ｐを放出させるノズル１３等が設けられている。即ち、投入口１１に紙幣が投入されると、投入された紙幣と引き換えに、所定の数量のパチンコ玉Ｐが台間玉貸機５からノズル１３を通じて払い出され、紙幣を投入した遊技者に対して貸し出される構成になっている。ノズル１３は、その台間玉貸機５に隣接するパチンコ台３の正面に設けられている受け皿３ａに対して、パチンコ玉Ｐを放出させることができる。遊技者は、ノズル１３から払い出されたパチンコ玉Ｐを用いて、パチンコ台３による遊技を行うことができる。
【００２２】
補給システム６は、台間玉貸機５の上方にＸ方向に対して傾斜させて設けられている補給樋６ａと、補給樋６ａからパチンコ玉Ｐを導出して各台間玉貸機５に受け渡す複数の補給管６ｂとを備えている。なお、補給管６ｂは、可撓性を有する円管状に形成されている。また、パチンコ玉Ｐを補給管６ｂの長さ方向に一列に並べて通過させることができる大きさになっている。
【００２３】
次に、台間玉貸機５の構造について、詳細に説明する。図３及び図４に示すように、台間玉貸機５は、払出機本体としての玉貸機本体２１と、玉貸機本体２１を支持する支持体２２（フレーム）とを備えている。支持体２２は、パチンコ台３に隣接した位置において、遊技島本体２に対して固定されている。玉貸機本体２１は、支持体２２を介して遊技島本体２に支持されて、パチンコ台３に隣接した位置に設けられ、また、支持体２２（遊技島本体２）に対して着脱可能に設けられている。具体的には、図４に示すように、玉貸機本体２１を支持体２２に対して正面側から挿入し、支持体２２に対してＹ方向に沿った所定の取り付け方向Ａ１（正面側から背面側に向かう方向）にスライド（直進）させることにより、支持体２２に取り付けることができる。また、玉貸機本体２１を支持体２２に対してＹ方向に沿った所定の取り外し方向Ａ２（取り付け方向Ａ１に対して反対方向）にスライドさせることにより、支持体２２から取り外すことができるようになっている。
【００２４】
玉貸機本体２１は、左側面、右側面をそれぞれＹ−Ｚ面に沿って向けた状態で、支持体２２に取り付けられる。また、Ｚ方向に沿って縦長に、さらに、Ｙ方向よりもＸ方向において薄く形成されている（図２参照）。なお、前述した投入口１１、ノズル１３は、玉貸機本体２１の正面に設けられている。また、玉貸機本体２１の内部には、パチンコ玉Ｐを通過させる遊技媒体通路としての玉通路２３、玉通路２３におけるパチンコ玉Ｐの移動を制御する移動制御装置としての玉切り装置２４が備えられている。さらに、図示はしないが、玉貸機本体２１の内部には、投入口１１に投入された紙幣の真偽の判別や金額の読み取り等を行う紙幣処理装置（ビルバリユニット）、玉切り装置２４によって送り出された（ノズル１３から払い出された）パチンコ玉Ｐの個数を計数する計数器等の各種機器類が内蔵されている。
【００２５】
玉通路２３の上流端、即ち、パチンコ玉Ｐを受け入れる受入口２５は、玉貸機本体２１の背面側上部において、玉貸機本体２１の上方に向かって開口されている。一方、玉通路２３の下流端は、玉貸機本体２１の正面側において、ノズル１３の基端部に接続されている。また、玉通路２３は、パチンコ玉Ｐを玉通路２３の長さ方向に一列に並べて通過させることができる大きさになっている。
【００２６】
玉貸機本体２１の背面側上部において、受入口２５よりも前方かつ上方には、後述するシャッター４２（当接部５３の前面）に前方から当接する本体側当接部２６が設けられている（図４参照）。本体側当接部２６は、図示の例では、Ｘ−Ｚ面に沿った略平面状に形成されている。
【００２７】
支持体２２の背面側上部、即ち、支持体２２の上面板２２ａと背面板２２ｂとの間の角部には、段差が形成されている。即ち、支持体２２の上面板２２ａよりも後方かつ低い位置に、Ｘ−Ｙ面に沿った段差部横板２２ｃが設けられており、段差部横板２２ｃの前縁部と上面板２２ａの後縁部との間には、Ｘ−Ｚ面に沿った段差部縦板２２ｄが設けられている。段差部横板２２ｃの後縁部には、背面板２２ｂの上縁部が接続されている。また、この段差部分（段差部横板２２ｃの上方かつ段差部縦板２２ｄの後方）には、補給管６ｂの端部（下流端）を着脱可能に保持する補給管保持具３１が設けられている。
【００２８】
図５、図６は、それぞれ台間玉貸機５の背面側上部の平面図、背面図を示している。図５及び図６に示すように、補給管保持具３１は、補給管６ｂの左側に当接する当接部３１ａと、補給管６ｂの右側に当接する当接部３１ｂとを備えている。これら当接部３１ａ、３１ｂによって補給管６ｂを左右から挟むことで、補給管６ｂを保持し、また、当接部３１ａ、３１ｂを左右に互いに離隔させることで、補給管６ｂの保持を解除し、補給管６ｂを台間玉貸機５から取り外せるように構成されている。
【００２９】
図７、図８は、支持体２２の背面側上部の縦断面図、横断面図をそれぞれ示している。図７及び図８に示すように、支持体２２には、玉貸機本体２１にパチンコ玉Ｐを供給する供給口４１と、支持体２２に対して回転することにより供給口４１を開閉するシャッター４２と、シャッター４２を回転可能に保持する軸体４３が設けられている。軸体４３の中心軸４３ａ（シャッター４２の回転中心軸）は、Ｚ方向に沿って（即ち，取り付け方向Ａ１に対して略垂直に）向けられている。さらに、支持体２２には、供給口４１を開口させる開口位置Ｌ１（図８において二点鎖線で示した位置）から供給口４１を閉塞する閉塞位置Ｌ２（図８において実線で示した位置）に向かってシャッター４２を移動させる方向に付勢する付勢部材４５、シャッター４２（後述する当接部５３の後面）に当接する支持体側当接部４６が設けられている。支持体側当接部４６は、図示の例では、段差部縦板２２ｄの内面（前側面）となっている。
【００３０】
供給口４１は、補給管保持具３１の下方において、段差部横板２２ｃに開口されており、例えば略円形、即ち、球状のパチンコ玉Ｐの外面に沿った形状に形成されている。また、図８に示した例では、供給口４１は、支持体２２の中央部（Ｘ方向（厚さ方向）における中央部）よりも右側に偏った位置、即ち、軸体４３、付勢部材４５よりも右側に配置されている。
【００３１】
供給口４１の内径Ｄ１は、パチンコ玉Ｐの直径ＤＰよりも僅かに大きいが、直径ＤＰの２倍よりは小さい寸法、即ち、ＤＰ＜Ｄ１＜２ＤＰとなっている。従って、供給口４１は、パチンコ玉ＰをＺ方向に１個ずつ通過させるようになっており、２個以上のパチンコ玉Ｐを同時に通過させることはできない大きさになっている。
【００３２】
シャッター４２は、支持体２２の内側に設けられており、供給口４１を内側（下方）から閉塞するようになっている。また、支持体２２に対して軸体４３を介して取り付けられており、軸体４３の中心軸４３ａを中心として、支持体２２に対して回転可能に取り付けられている。さらに、図８に示すように、Ｚ方向（中心軸４３ａの軸方向）からみて、支持体２２の外側に突出しない範囲で（図示の例では、Ｚ方向からみて、支持体２２の段差部横板２２ｃ及び上面板２２ａに対して重なる範囲において）、開口位置Ｌ１、閉塞位置Ｌ２に移動するように配置されている。
【００３３】
図９は、シャッター４２の斜視図を示している。図９に示すように、シャッター４２は、略平板状をなすシャッター本体５１と、付勢部材４５の端部が接続される付勢部材接続部５２と、玉貸機本体２１の本体側当接部２６及び支持体２２の支持体側当接部４６に当接する当接部５３（シャッター側当接部）とを備えている。
【００３４】
シャッター本体５１の前側かつ左側の隅には、軸体４３が通される軸穴５１ａが設けられている。また、シャッター本体５１の後側には、右側に突出するように形成された閉塞部５１ｂが設けられている。閉塞部５１ｂには、供給口４１の開口縁部及びパチンコ玉Ｐの外面に沿った形状、即ち略円弧状をなす切り欠き部５１ｃが設けられている。切り欠き部５１ｃは、閉塞部５１ｂの前縁側に設けられており、図示の例では、前方右側から後方左側に向かって凹状になるように形成されている。切り欠き部５１ｃの前方には、パチンコ玉ＰをＺ方向に通過させることが可能な開放空間５１ｄが設けられている。
【００３５】
シャッター本体５１は、図７及び図８に示すように、支持体２２の内部において、段差部横板２２ｃよりも下方に、Ｘ−Ｙ面に沿って略水平に設けられている。また、軸穴５１ａに軸体４３が通された状態、即ち、段差部横板２２ｃに対して回転可能な状態で支持される。閉塞部５１ｂは、シャッター４２が閉塞位置Ｌ２に配置されたときは、Ｚ方向からみて供給口４１に重なる位置に備えられ、シャッター４２が開口位置Ｌ１に配置されたときは、供給口４１よりも後方かつ左側に退避するように設けられている。切り欠き部５１ｃは、シャッター４２が開口位置Ｌ１に配置されたとき、供給口４１の開口縁部（後縁部）に沿って配置されるように設けられている。開放空間５１ｄは、シャッター４２が閉塞位置Ｌ２に配置されたときは、供給口４１に対して前側に配置され、シャッター４２が開口位置Ｌ１に配置されたときは、Ｚ方向からみて供給口４１に重なるように設けられている。
【００３６】
なお、閉塞部５１ｂは、Ｚ方向からみて供給口４１やパチンコ玉Ｐよりも小さく形成されていても良い。即ち、供給口４１を完全に閉塞する大きさでなくても良く、少なくともパチンコ玉Ｐを玉切りできる大きさ（補給管６ｂの端部に位置するパチンコ玉Ｐを閉塞部５１ｂの上面に支持できる大きさ）であれば良い。例えば、シャッター４２が閉塞位置Ｌ２に配置されたとき、Ｚ方向からみて、供給口４１の中央部に重なる位置に閉塞部５１ｂが配置されるように、即ち、補給管６ｂの端部に位置するパチンコ玉Ｐの下端部を支持できるような大きさであれば良い。一方、開放空間５１ｄは、Ｚ方向からみてパチンコ玉Ｐよりも大きく形成されていることが好ましい。即ち、パチンコ玉ＰをＺ方向に通過させることが可能な大きさ、より好ましくは、供給口４１を完全に開口できる大きさに形成することが望ましい。
【００３７】
また、上記のように、切り欠き部５１ｃを設け、閉塞部５１ｂを供給口４１やパチンコ玉Ｐよりも小さく形成することにより、供給口４１を開閉する際のシャッター４２の移動量（回転量）を小さくすることができる。即ち、閉塞部５１ｂを小さくすると、閉塞部５１ｂを供給口４１に対して小さく移動させるだけで、供給口４１が閉塞部５１ｂによって閉塞される状態と、供給口４１が開口される状態（開放空間５１ｄが供給口４１に連通する状態）とを切り換えることができるようになる。特に、Ｙ方向における閉塞部５１ｂ（シャッター４２）の移動量を短くすることができる。また、切り欠き部５１ｃを円弧状とし、供給口４１の開口縁部に重なるような形状にすることで、シャッター４２の移動量を小さくした場合でも、供給口４１を確実に開口させやすくなる。このように、シャッター４２の移動量を小さくすることで、シャッター４２を支持体２２の外側（特に後方）に突出させない設計を、好適に実現することができる。
【００３８】
付勢部材接続部５２は、図示の例では、軸穴５１ａ、開放空間５１ｄよりも後方（即ち、軸体４３、供給口４１よりも後方）に設けられており、さらに、閉塞部５１ｂ、切り欠き部５１ｃ、開放空間５１ｄよりも左側（即ち、供給口４１よりも左方）に設けられている。また、シャッター本体５１から上方に向かって突出するように設けられている。
【００３９】
なお、図８に示すように、段差部横板２２ｃには、付勢部材接続部５２をガイドする接続部ガイド穴５５が形成されている。付勢部材接続部５２は、接続部ガイド穴５５の内側をＺ方向に貫通するように設けられ、接続部ガイド穴５５に沿って、中心軸４３ａを中心とした円弧状の軌道に沿って回転移動できるようになっている。付勢部材接続部５２の上部、即ち、接続部ガイド穴５５の上方（支持体２２の外側）に突出した部分には、付勢部材４５が接続されている。
【００４０】
当接部５３は、開放空間５１ｄ、軸穴５１ａよりも前方、即ち、供給口４１、軸体４３よりも前方（取り付け方向Ａ１において手前側）に設けられている。さらに、Ｙ方向（取り付け方向Ａ１）からみたとき、Ｘ方向において閉塞部５１ｂと軸穴５１ａとの間（即ち、供給口４１と軸体４３の間）に設けられている。また、シャッター本体５１の前縁部から上方に向かって突出しており、支持体側当接部４６の前方（支持体側当接部４６と本体側当接部２６の間に挟まれる位置）に配置されている。
【００４１】
なお、このように、当接部５３を供給口４１や軸体４３よりも手前側に配置すると、当接部５３を本体側当接部２６によって前方から押しやすくなる。即ち、当接部５３をＹ方向に沿って円滑に移動させ、シャッター４２を閉塞位置Ｌ２から開口位置Ｌ１に移動させやすくなる。
【００４２】
軸体４３は、段差部横板２２ｃに取り付けられている。また、図８に示すように、軸体４３は、支持体２２の中央部（Ｘ方向における中央部）よりも左側に配置されている。即ち、供給口４１と軸体４３（中心軸４３ａ）は、取り付け方向Ａ１からみたとき、支持体２２の中央部を挟んで互いに対向する位置に設けられている。このようにすると、例えば供給口４１が支持体２２の中央部に配置されている場合よりも、シャッター４２が開口位置Ｌ１に移動するためのスペースを、支持体２２の内部に確保しやすくなる。即ち、シャッター４２（シャッター本体５１）を、供給口４１の側方（図示の例では左側）に移動させることができる。従って、供給口４１、シャッター４２、軸体４３等をコンパクトに配置しながらも、シャッター４２を円滑に，余裕を持って移動させることができる。
【００４３】
さらに、中心軸４３ａは，供給口４１に対して前方に設けるようにしても良い。このようにすると、例えば、中心軸４３ａがＸ方向において供給口４１の中央部と並ぶ位置に配置されている場合よりも、シャッター４２が開口位置Ｌ１に移動するためのスペースを、支持体２２の内部に確保しやすくなる。即ち、シャッター４２（シャッター本体５１）を、Ｙ方向において中心軸４３ａの後方に移動させることができる。従って、供給口４１、シャッター４２、軸体４３等をコンパクトに配置しながらも、シャッター４２を円滑に，余裕を持って移動させることができる。
【００４４】
付勢部材４５は、図示の例ではコイルバネである。付勢部材４５の前端部は、供給口４１、軸体４３よりも前方において、段差部縦板２２ｄの後面に対して接続されている。また、付勢部材４５の後端部は、軸体４３、供給口４１よりも後方において、付勢部材接続部５２に接続されている。なお、シャッター４２が閉塞位置Ｌ２にあるとき、付勢部材４５はＹ方向に沿って配置されるが、シャッター４２が閉塞位置Ｌ２から開口位置Ｌ１に向かって移動すると、付勢部材接続部５２は、付勢部材４５の前端部に対して左側に離隔するように移動し、付勢部材４５は付勢部材接続部５２の移動に伴い、Ｙ方向に対して傾斜した向き（前方右側から後方左側に向かう方向）に沿って伸長するように引っ張られる。これにより、付勢部材４５においては、付勢部材接続部５２を右側に戻そうとする弾性力、即ち、シャッター４２を開口位置Ｌ１に戻そうとする付勢力が発生するように構成されている。
【００４５】
次に、以上のように構成された台間玉貸機５の作用について説明する。先ず、玉貸機本体２１が支持体２２に取り付けられていない状態では、図８において実線で示したように、シャッター４２は閉塞位置Ｌ２に配置される。即ち、当接部５３は、支持体側当接部４６から前方に離隔した位置に配置され、閉塞部５１ｂは、供給口４１の真下、即ち、上方からみた平面視において供給口４１に対して重なる位置に配置される。開放空間５１ｄは、供給口４１の前方に配置されるが、後方の一部は、平面視において供給口４１の前部に対して重なる位置に配置される。
【００４６】
かかる状態において、玉貸機本体２１を支持体２２に対して正面側から挿入し、支持体２２に対して取り付け方向Ａ１に沿って移動させると、本体側当接部２６が当接部５３に対して前方から当接する。即ち、当接部５３が本体側当接部２６によって前方から後方に向かって押され、シャッター４２は、付勢部材４５を引き伸ばしながら、付勢部材４５の付勢力に抗して、軸体４３（中心軸４３ａ）を中心として、上方からみて左回転方向に回転し、閉塞位置Ｌ２から開口位置Ｌ１に向かって移動する。
【００４７】
こうして、玉貸機本体２１が支持体２２に取り付けられると、図８において二点鎖線で示したように、当接部５３は、本体側当接部２６と支持体側当接部４６との間に挟まれた状態で保持され、シャッター４２は開口位置Ｌ１に配置される。閉塞部５１ｂは供給口４１の後方に配置され、切り欠き部５１ｃは供給口４１の開口縁部（後縁部から左端部）に沿って配置され、開放空間５１ｄは供給口４１の真下に配置される。また、図１０に示すように、受入口２５が段差部横板２２ｃの下方に配置され、上方からみた平面視において、供給口４１、開放空間５１ｄに対して重なる位置に備えられる。即ち、供給口４１、開放空間５１ｄ、受入口２５が、Ｚ方向において互いに連通させられる。
【００４８】
このように玉貸機本体２１を支持体２２に取り付けた状態において、補給管６ｂの端部を補給管保持具３１に保持させると、補給管６ｂの内部通路、供給口４１、開放空間５１ｄ、玉通路２３が上方からこの順に連通した状態になる。かかる状態において、補給樋６ａから補給管６ｂにパチンコ玉Ｐが供給されると、パチンコ玉Ｐは、自重によって補給管６ｂ内を下降し、図１０に示すように、供給口４１、開放空間５１ｄを通じて受入口２５に下降し、玉通路２３に導入される。
【００４９】
なお、遊技島１の稼働中は、通常、玉切り装置２４よりも上流側の玉通路２３、補給管６ｂ、補給樋６ａ内には、パチンコ玉Ｐが常に充填された状態になっている。玉通路２３、供給口４１、開放空間５１ｄ、補給管６ｂ内においては、パチンコ玉Ｐは、玉通路２３の長さ方向又は補給管６ｂの長さ方向（図１０ではＺ方向）に沿って、下端側から一列に並べて積み上げられた状態で貯留される。
【００５０】
投入口１１に紙幣が投入され、あるいは操作パネル１２が操作されることによって、玉切り装置２４が作動すると、パチンコ玉Ｐが玉切り装置２４の上流側から下流側の玉通路２３に所定の個数だけ送り出され、玉通路２３に沿って滑降し、玉通路２３を通じてノズル１３に供給され、所定の個数のパチンコ玉Ｐがノズル１３から払い出される。このように玉切り装置２４によってパチンコ玉Ｐが送り出されると、玉切り装置２４の上流側のパチンコ玉Ｐは、自重によってそれぞれ玉通路２３に沿って下降する。すると、補給管６ｂ内のパチンコ玉Ｐが、自重によって供給口４１、開放空間５１ｄを通じて玉通路２３内に順次下降する。そして、補給樋６ａから新たなパチンコ玉Ｐが自重によって補給管６ｂ内に導入される。
【００５１】
例えば台間玉貸機５のメンテナンス時などに、玉貸機本体２１を支持体２２から取り外す際は、図１１に示すように、玉貸機本体２１を支持体２２に対して取り外し方向Ａ２に移動させ、支持体２２の前方に引き出す。すると、本体側当接部２６が前方に移動して当接部５３から離隔し、本体側当接部２６から当接部５３に与えられていた押圧力が無くなる。従って、シャッター４２は、付勢部材４５の弾性力（付勢力）によって、軸体４３を中心として、上方からみて右回転方向に回転し、開口位置Ｌ１から閉塞位置Ｌ２に向かって移動する。切り欠き部５１ｃ、閉塞部５１ｂはそれぞれ前方に向かって移動する。
【００５２】
なお、シャッター４２が開口位置Ｌ１から閉塞位置Ｌ２に向かって移動しようとする際、開放空間５１ｄ内、即ち、閉塞部５１ｂの移動領域にパチンコ玉Ｐが存在していることがあるが、その場合、開放空間５１ｄ内のパチンコ玉Ｐに対しては、シャッター４２の切り欠き部５１ｃが、後方から当接する。この切り欠き部５１ｃは、パチンコ玉Ｐの外面に沿った形状になっているので、パチンコ玉Ｐの外面に沿って押し当てられる。そのため、シャッター４２の押圧力を、パチンコ玉Ｐの外面に対して確実に与えることができる。かかる切り欠き部５１ｃによって、パチンコ玉Ｐは円滑かつ確実にガイドされ、シャッター４２の下方又は上方に退避することができる。従って、例えば供給口４１の前縁部と切り欠き部５１ｃとの間にパチンコ玉Ｐが挟まれたままになることや、シャッター４２の移動がパチンコ玉Ｐによって妨げられること（シャッター４２の閉鎖不良）を防止できる。つまり、受入口２５と閉塞部５１ｂの間にパチンコ玉Ｐが挟まったままになることを防止でき、玉貸機本体２１を支持体２２から円滑に取り外すことができる。さらに、かかる切り欠き部５１ｃによれば、シャッター４２の押圧力を、パチンコ玉Ｐの外面に対して適宜分散させて与えることができる。即ち、切り欠き部５１ｃがパチンコ玉Ｐに当接しても、強い衝撃がパチンコ玉Ｐの特定の箇所に集中して与えられることを防止できる。従って、パチンコ玉Ｐやシャッター４２が損傷することを防止できる。
【００５３】
切り欠き部５１ｃの移動に伴い、切り欠き部５１ｃの下方に退避したパチンコ玉Ｐは、閉塞部５１ｂの下面によって玉通路２３内に押し込まれて、玉貸機本体２１と共に、供給口４１、閉塞部５１ｂの前方に移動させられる。一方、切り欠き部５１ｃの上方に退避したパチンコ玉Ｐは、補給管６ｂ内に押し上げられ、閉塞部５１ｂの上面に載せられた状態で保持される。
【００５４】
こうして、玉通路２３内のパチンコ玉Ｐと補給管６ｂ内のパチンコ玉Ｐが、シャッター４２によって分断（玉切り）され、玉貸機本体２１が支持体２２から取り外されると、シャッター４２は、再び閉塞位置Ｌ２に配置される。供給口４１は閉塞部５１ｂによって閉塞されるので、補給管６ｂ内のパチンコ玉Ｐは、供給口４１を通じて落下することなく、補給管６ｂ内に確実に保持される。
【００５５】
なお、台間玉貸機５のメンテナンス後などに、再び玉貸機本体２１を支持体２２に取り付けたときは、上述した場合と同様に、シャッター４２は開口位置Ｌ１に配置され、閉塞部５１ｂは、補給管６ｂ内のパチンコ玉Ｐから後方に退避させられる。即ち、補給管６ｂ内に保持されていたパチンコ玉Ｐが、供給口４１、開放空間５１ｄを通じて、玉通路２３に下降できるようになる。
【００５６】
以上説明したように、かかる台間玉貸機５の構成によれば、シャッター４２を回転移動させる構造にすることで、シャッター４２のＹ方向における移動量を小さくし、シャッター４２が支持体２２の外側（後方）に突出しない構造にすることができる。従って、台間玉貸機５の後方に他の機器類（例えば紙幣搬送装置等）を近接させて配置すること等が可能になり、また、Ｘ方向における遊技島１の幅を小さくすること等が可能になる。
【００５７】
また、供給口４１、受入口２５、玉通路２３の位置等を特に変更することなく、即ち、玉貸機本体２１の設計を大幅に変更することなく、支持体２２側の簡単な設計変更（シャッター４２の形状変更、軸体４３や接続部ガイド穴５５の設置等）だけで、シャッター４２が後方に突出しない構造を容易に実現できる。例えば既存の台間玉貸機５については、支持体２２の背面側上部の構造を上記のような構造に取り替えるだけの簡単な作業で、シャッター４２が後方に突出しない構造に、容易かつ低コストで改良することが可能である。
【００５８】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００５９】
例えばシャッター４２の形状などは、以上の実施形態に示したものには限定されない。例えばシャッター４２の切り欠き部５１ｃの内面は、図７に示したように、縦断面形状がＺ方向に沿った直線状になるようにしても良いが、例えば図１２に示すように、縦断面形状が開放空間５１ｄ側（開放空間５１ｄ内のパチンコ玉Ｐ側）に向かって突出した形状になるようにしても良い。図１２に示す例では、切り欠き部５１ｃの縦断面形状は、横向きの略Ｖ字形に形成されている。即ち、切り欠き部５１ｃには、閉塞部５１ｂの下縁部から上方に向かうに従い次第に開放空間５１ｄ側に向かうように傾斜した下傾斜面７１と、閉塞部５１ｂの上縁部から下方に向かうに従い次第に開放空間５１ｄ側に向かうように傾斜した上傾斜面７２とが設けられている。切り欠き部５１ｃの先端７３（下傾斜面７１の上縁部、上傾斜面７２の下縁部）は、閉塞部５１ｂの下面と上面との間の中間の高さに設けられている。このように、切り欠き部５１の縦断面形状が開放空間５１ｄ側に向かって突出した形状になるようにすると、シャッター４２が開口位置Ｌ１から閉塞位置Ｌ２に移動する際、開放空間５１ｄ内のパチンコ玉Ｐを、切り欠き部５１によって閉塞部５１ｂの下方又は上方に、より円滑に退避させることができ、シャッター４２の閉鎖不良を、さらに確実に防止できる。
【００６０】
即ち、例えば図１２に示すように、開放空間５１ｄ内のパチンコ玉Ｐの中心が、先端７３よりも下方に位置している場合は、開放空間５１ｄ内のパチンコ玉Ｐに対して下傾斜面７１を当接させながら、切り欠き部５１ｃを前方に移動させることで、パチンコ玉Ｐを下傾斜面７１によって押し下げるように誘導し、玉通路２３内に円滑に下降させることができる。また、例えば図１３に示すように、開放空間５１ｄ内のパチンコ玉Ｐの中心が、先端７３よりも上方に位置している場合は、開放空間５１ｄ内のパチンコ玉Ｐに対して上傾斜面７２を当接させながら、切り欠き部５１ｃを前方に移動させることで、パチンコ玉Ｐを上傾斜面７２によって押し上げるように誘導し、補給管６内に円滑に上昇させることができる。
【００６１】
なお、先端７３の高さは、閉塞部５１ｂの下面と上面との間の中間の高さには限定されず、閉塞部５１ｂの下面側に偏った高さに設けても良いし、閉塞部５１ｂの上面側に偏った高さに設けても良い。切り欠き部５１ｃの縦断面形状は、略Ｖ字型には限定されず、例えば図１４に示すように、上傾斜面７２を設けず、下傾斜面７１を設けた形状（先端７３が閉塞部５１ｂの上縁部に位置する構成）にしても良い。あるいは、例えば図１５に示すように、下傾斜面７１を設けず、上傾斜面７２を設けた形状（先端７３が閉塞部５１ｂの下縁部に位置する構成）にしても良い。これらの場合も、開放空間５１ｄ内のパチンコ玉Ｐを、切り欠き部５１によって閉塞部５１ｂの下方又は上方に、円滑に退避させることができる。
【００６２】
また、以上の実施形態では、遊技機としてはパチンコ台３を例示し、遊技媒体としてはパチンコ玉Ｐを例示し、遊技媒体払出機としては、遊技島１に備えられる台間玉貸機５を例示したが、遊技機、遊技媒体、遊技媒体払出機は、上記のものに限定されない。例えば遊技機は、雀球機、アレンジボール機等、パチンコ台以外の他の弾球遊技機であっても良いし、パロット機（パチンコ玉を遊技媒体とするスロットマシン（回胴式遊技機））等であっても良い。遊技媒体払出機は、紙幣（現金）の投入に基づいて遊技媒体を貸し出すものには限定されず、例えば情報記録媒体（例えばプリペイドカード、ＩＣカード、ＩＣコイン等）の投入に基づいて、即ち、情報記録媒体に与えられている金額価値（金銭的な価値）と引き換えに、所定の数量の遊技媒体を払い出すものであっても良い。
【産業上の利用可能性】
【００６３】
本発明は、例えばパチンコ玉を遊技者に貸し出す玉貸機等の遊技媒体払出機に適用できる。
【図面の簡単な説明】
【００６４】
【図１】遊技島の構造を部分的に示した正面図である。
【図２】パチンコ台と台間玉貸機の平面図である。
【図３】台間玉貸機の側面図である。
【図４】玉貸機本体を支持体から取り外した状態を示した側面図である。
【図５】台間玉貸機の背面側上部を拡大して示した平面図である。
【図６】台間玉貸機の背面側上部を拡大して示した背面図である。
【図７】支持体の背面側上部の構造を示した縦断面図（図５、図６におけるＩ−Ｉ線による断面図）である。
【図８】支持体の背面側上部の構造を示した横断面図（図６、図７におけるＩＩ−ＩＩ線による断面図）である。
【図９】シャッターの斜視図である。
【図１０】支持体に玉貸機本体と補給管を取り付け、パチンコ玉を補給する状態を示した縦断面図である。
【図１１】支持体から玉貸機本体を取り外す状態を示した縦断面図である。
【図１２】シャッターの切り欠き部に下傾斜面と上傾斜面を形成した構成と、下傾斜面によってパチンコ玉を下降させる様子を説明する縦断面図である。
【図１３】上傾斜面によってパチンコ玉を上昇させる様子を説明する縦断面図である。
【図１４】シャッターの切り欠き部において、上傾斜面を省略し、下傾斜面を形成した構成を説明する縦断面図である。
【図１５】シャッターの切り欠き部において、下傾斜面を省略し、上傾斜面を形成した構成を説明する縦断面図である。
【符号の説明】
【００６５】
Ａ１    取り付け方向
Ａ２    取り外し方向
Ｌ１    開口位置
Ｌ２    閉塞位置
Ｐ      パチンコ玉
１      遊技島
３      パチンコ台
５      台間玉貸機
６ｂ    補給管
２１    玉貸機本体
２２    支持体
２３    玉通路
２５    受入口
３１    補給管保持具
４１    供給口
４２    シャッター
４３    軸体
４３ａ  中心軸
４５    付勢部材
５１    シャッター本体
５３    当接部
５１ｃ  切り欠き部
【図１】
0005517277.tif 000002
【図２】
0005517277.tif 000003
【図３】
0005517277.tif 000004
【図４】
0005517277.tif 000005
【図５】
0005517277.tif 000006
【図６】
0005517277.tif 000007
【図７】
0005517277.tif 000008
【図８】
0005517277.tif 000009
【図９】
0005517277.tif 000010
【図１０】
0005517277.tif 000011
【図１１】
0005517277.tif 000012
【図１２】
0005517277.tif 000013
【図１３】
0005517277.tif 000014
【図１４】
0005517277.tif 000015
【図１５】
0005517277.tif 000016